(57)【要約】【課題】手先や足先だけでなく、手の甲、手首或いは腕の任意の部位、または足の甲、足首或いは脚の任意の部位を温めたり冷やしたりすることができ、また保温や保冷する必要のないときには小物入れとしても使用することのできる、従来のものに比べて使用範囲が格段に広い保温・保冷具を提供する【解決手段】一端が開閉可能とされる一方他端が挿入口３とされた保温・保冷区画部４と、この保温・保冷区画部４の少なくとも一方の外面に設けられ、内部にカイロまたは保冷材５が挿入可能なカイロ・保冷材保持部６とを備えた構成とした。【選択図】  図２
0003151845.tif 000002
【実用新案登録請求の範囲】
【請求項１】
手先、手の甲、手首或いは腕の任意の部位、または足先、足の甲、足首或いは脚の任意の部位を温めたり冷やしたりするのに使用される保温・保冷具であって、
一端が開閉可能とされる一方他端が挿入口とされた保温・保冷区画部と、
この保温・保冷区画部の少なくとも一方の外面に設けられ、内部にカイロまたは保冷材が挿入可能なカイロ・保冷材保持部とを備えた保温・保冷具。
【請求項２】
請求項１に記載の保温・保冷具において、
前記保温・保冷区画部の挿入口に係止具が設けられ、この係止具により該挿入口が開閉可能とされた保温・保冷具。
【請求項３】
請求項１または２に記載の保温・保冷具において、
前記保温・保冷区画部と前記カイロ・保冷材保持部とが分離可能とされた保温・保冷具。
【請求項４】
手先、手の甲、手首或いは腕の任意の部位、または足先、足の甲、足首或いは脚の任意の部位を温めたり冷やしたりするのに使用される保温・保冷具であって、
他端が挿入口とされた第１保温・保冷区画部と、
この第１保温・保冷区画部と並設され、他端が挿入口とされた第２保温・保冷区画部と、
前記第１保温・保冷区画部と並設され、他端が挿入口とされた第３保温・保冷区画部と、
前記第１保温・保冷区画部と第２保温・保冷区画部との間及び前記第１保温・保冷区画部と第３保温・保冷区画部との間にそれぞれ設けられ、各内部にカイロまたは保冷材が挿入可能な２つのカイロ・保冷材保持部とを備え、
前記第１〜第３保温・保冷区画部のうち少なくとも一つの保温・保冷区画部の一端が開閉可能とされた保温・保冷具。
【請求項５】
請求項４に記載の保温・保冷具において、
前記第１〜第３保温・保冷区画部のうち少なくとも一つの保温・保冷区画部の挿入口に係止具が設けられ、この係止具により該挿入口が開閉可能とされた保温・保冷具。
【請求項６】
請求項４または５に記載の保温・保冷具において、
前記第１〜第３保温・保冷区画部のうち少なくとも一つの保温・保冷区画部が取り外し可能とされた保温・保冷具。
【考案の詳細な説明】
【技術分野】
【０００１】
本考案は、保温・保冷具に係り、特に、手先、手の甲、手首或いは腕の任意の部位、または足先、足の甲、足首或いは脚の任意の部位を温めたり冷やしたりするのに好適な、また小銭や各種小物の収容にも使用することのできる保温・保冷具に関する。
【背景技術】
【０００２】
従来、保温具としては、例えば特許文献１〜３に所載のものが公知である。
【０００３】
特許文献１に所載の指先カイロは、使い捨てカイロを、足や手の指先を包むことのできる形状に成形したものであり、足や手の指先だけをカイロで温めることができるものである。
【０００４】
特許文献２に所載の足先カバーは、足先を覆うカバー本体の内側に、接着面を有する使い捨てカイロを貼り付けるようにしたものであり、足先だけをカイロで温めることができるものである。
【０００５】
特許文献３に所載の靴下は、筒状の基布の適所を縫って長い方を靴下部分とする一方、他方をその靴下部分側に折り返し、靴下部分との間に形成される隙間に使い捨てカイロを挟持するようにしたものであり、足先だけをカイロで温めることができるものである。
【０００６】
一方、保冷具としては、例えば特許文献４〜６に所載のものが公知である。
【０００７】
特許文献４に所載の関節疼痛緩和用保冷治療具は、保冷剤を着脱自在に収容する収容部と、患部に装着固定するための装着帯を備えたものであり、特に膝関節の保冷に適したものである。
【０００８】
特許文献５に所載のアイシング・サポータは、蓄冷剤が封着される互いに区画された複数の蓄冷質を備えたサポータ形状のものであり、踝から踵、或いは足首やふくらはぎ等に装着できるようにしたものである。
【０００９】
特許文献６に所載の脱毛準備用肌冷却具は、肌の冷覚を刺激して脱毛時の刺激をマスキングするのに使用されるものであり、手が挿入される装着スペースを形成した保持部材の両側に冷却袋収容部を配設し、これら冷却袋収容部に冷却袋を収容して手の両面を冷却することができるようにしたものである。
【先行技術文献】
【特許文献】
【００１０】
【特許文献１】実開昭５８−１３９１２９号公報
【特許文献２】特開２００３−３３４２１３号公報
【特許文献３】実開平３−１１５６０５号公報
【特許文献４】特開２００４−２６１５６０号公報
【特許文献５】特開２００６−１２２５４５号公報
【特許文献６】特開２００２−３４５８７９号公報
【考案の概要】
【考案が解決しようとする課題】
【００１１】
しかしながら、特許文献１のものにあっては、一時的に手先を使おうとした場合、その都度指先を包んでいる指先カイロを取り外し、再びはめ直す必要があるため使い勝手が悪かった。また、温めることができるのは足や手の指先だけに限られており、足や手の他の部位を温めることは不可能であった。
【００１２】
特許文献２及び３のものにあっても、温めることができるのは足先だけに限られており、他の部位を温めることはできなかった。
【００１３】
特許文献４及び５のものにあっては、腕や脚に巻き付けるようにして装着するものであり、手先や足先への装着には不向きであった。
【００１４】
特許文献６のものにあっては、冷やすことができるのは手先だけに限られており、他の部位を冷やすことはできなかった。
【００１５】
さらに、上記いずれのものにあっても、用途は保温または保冷に限られており、保温または保冷に使用されない場合の用途まで考慮されたものではなかった。
【００１６】
そこで、本考案は、上記従来の問題点を解決すべく創案されたものであり、手先や足先だけでなく、手の甲、手首或いは腕の任意の部位、または足の甲、足首或いは脚の任意の部位を温めたり冷やしたりすることができ、また保温や保冷する必要のないときには小物入れとしても使用することのできる、従来のものに比べて使用範囲が格段に広い保温・保冷具を提供することを目的とするものである。
【課題を解決するための手段】
【００１７】
上記課題を解決するため、本考案に係る保温・保冷具は、手先、手の甲、手首或いは腕の任意の部位、または足先、足の甲、足首或いは脚の任意の部位を温めたり冷やしたりするのに使用されるものであって、一端が開閉可能とされる一方他端が挿入口とされた保温・保冷区画部と、この保温・保冷区画部の少なくとも一方の外面に設けられ、内部にカイロまたは保冷材が挿入可能なカイロ・保冷材保持部とを備えた構成とした。
【００１８】
この特定事項により、手の指先の保温や保冷に用いている場合に一時的に手先を使うときは、保温・保冷区画部の一端を開き、保温・保冷具を手首側にずらすだけで手先を保温・保冷具の先から露出することができ、保温・保冷具を手にはめたまま指先を使うことが可能となる。また、保温・保冷区画部の一端を開いて、例えば肘まで保温・保冷具をずらせば、肘を温めたり冷やしたりするのにも使用することができる。また、保温・保冷区画部の一端を閉じて足先にはめれば足先を温めたり冷やしたりすることができ、保温・保冷区画部の一端を開いて、保温・保冷具を例えば膝までずらせば、膝を温めたり冷やしたりすることができる。また、カイロや保冷材の持続時間が過ぎた場合や保温・保冷具として使用しない時などに、カイロ・保冷材保持部を小銭入れや小物入れとしても使用することができる。
【００１９】
また、上記保温・保冷具において、前記保温・保冷区画部の挿入口に係止具が設けられ、この係止具により該挿入口が開閉可能とされていてもよい。
【００２０】
この場合、カイロや保冷材の持続時間が過ぎた場合や保温・保冷具として使用しない時などに、保温・保冷区画部に例えば小銭や小物などを収納し、小銭入れや小物入れとしても使用することができる。
【００２１】
さらに、保温・保冷区画部とカイロ・保冷材保持部とが分離可能とされていてもよい。
【００２２】
この場合、保温・保冷区画部またはカイロ・保冷材保持部のうち汚れ方が酷い方だけを洗ったり、新たな保温・保冷区画部と交換することができる。また、手足の任意の部位を温める場合は、保温・保冷区画部として温かさを実感できる例えば布製のものを使用し、冷やす場合は、保冷材の周囲に生じがちな結露が保温・保冷区画部内に滲み込まないよう例えば非透水性の合成繊維製のものを使用する、といったように保温と保冷の目的別に材質の異なった保温・保冷区画部を選択することができる。
【００２３】
また、本考案の保温・保冷具は、３つの保温・保冷区画部を備えていてもよい。すなわち、他端が挿入口とされた第１保温・保冷区画部と、この第１保温・保冷区画部と並設され、他端が挿入口とされた第２保温・保冷区画部と、第１保温・保冷区画部と並設され、他端が挿入口とされた第３保温・保冷区画部と、第１保温・保冷区画部と第２保温・保冷区画部との間及び前記第１保温・保冷区画部と第３保温・保冷区画部との間にそれぞれ設けられ、各内部にカイロが挿入可能な２つのカイロ・保冷材保持部とを備え、第１〜第３保温・保冷区画部のうち少なくとも一つの保温・保冷区画部の一端が開閉可能とされたものであってもよい。
【００２４】
この場合、第１〜第３保温・保冷区画部のいずれかに手や足の指先を入れることで、指の爪側または腹側を選択的に温めたり冷やしたりすることができる。
【００２５】
また、このようになる保温・保冷具においても、手の指先の保温や保冷に用いている場合に一時的に手先を使うときは、保温・保冷区画部の一端を開き、保温・保冷具を手首側にずらすだけで手先を保温・保冷具の先から露出することができ、保温・保冷具を手にはめたまま指先を使うことが可能となる。また、その保温・保冷区画部の一端を開いて、例えば肘まで保温・保冷具をずらせば、肘を温めたり冷やしたりするのにも使用することができ、また、膝までずらせば、膝を温めたり冷やしたりすることができる。また、カイロや保冷材の持続時間が過ぎた場合や保温・保冷具として使用しない時などに、カイロ・保冷材保持部を小銭入れや小物入れとしても使用することができる。
【００２６】
また、上記保温・保冷具においても、前記第１〜第３保温・保冷区画部のうち少なくとも一つの保温・保冷区画部の挿入口に係止具が設けられ、この係止具により該挿入口が開閉可能とされていてもよい。
【００２７】
この場合、カイロや保冷材の持続時間が過ぎた場合や保温・保冷具として使用しない時などに、保温・保冷区画部に例えば小銭や小物などを収納し、小銭入れや小物入れとしても使用することができる。また２つの保温・保冷区画部の挿入口にそれぞれ係止具を設けた場合やすべての保温・保冷区画部の挿入口にそれぞれ係止具を設けた場合は、各保温・保冷区画部を種類の異なる物の収納に使用することができ、より使用範囲が広がる。
【００２８】
さらに、第１〜第３保温・保冷区画部のうち少なくとも一つの保温・保冷区画部が取り外し可能とされていてもよい。
【００２９】
この場合、第１〜第３保温・保冷区画部のうち汚れ方が酷いものだけを洗ったり、新たな保温・保冷区画部と交換することができる。また、手足の任意の部位を温める場合は、保温・保冷区画部として温かさを実感できる例えば布製のものを使用し、冷やす場合は、保冷材の周囲に生じがちな結露が保温・保冷区画部内に滲み込まないよう例えば非透水性の合成繊維製のものを使用する、といったように保温と保冷の目的別に材質の異なった保温・保冷区画部を選択することができる。
【考案の効果】
【００３０】
本考案によれば、手足の指先だけでなく、例えば肘など腕の任意の部位や、膝など脚の任意の部位をも温めたり冷したりすることができ、また保温または冷却したりする必要のないときには小物入れとしても使用することのできる、従来のものに比べて使用範囲が格段に広い保温・保冷具を提供することができる。
【図面の簡単な説明】
【００３１】
【図１】本考案に係る保温・保冷具を示し、保温・保冷区画部を閉じ、カイロ・保冷材保持部を開いた状態の斜視図である。
【図２】図１に示す保温・保冷具の保温・保冷区画部及びカイロ・保冷材保持部を閉じた状態の中央縦断面図である。
【図３】図１に示す保温・保冷具を手先にはめた状態を示す斜視図である。
【図４】図１に示す保温・保冷具の保温・保冷区画部及びカイロ・保冷材保持部を開いて手先を露出させた状態を示す斜視図である。
【図５】図１に示す保温・保冷具を足先にはめた状態を示す斜視図である。
【図６】図１に示す保温・保冷具を肘部分にはめた状態を示す斜視図である。
【図７】図１に示す保温・保冷具を膝部分にはめた状態を示す斜視図である。
【図８】本考案に係る保温・保冷具の他の実施形態を示し、図２に対応する図である。
【図９Ａ】図１に示す保温・保冷具の保温・保冷具以外の目的で使用する場合の一例を示す斜視図である。
【図９Ｂ】図１に示す保温・保冷具の保温・保冷具以外の目的で使用する場合の他の例を示す斜視図である。
【図１０Ａ】図１に示す保温・保冷具の変形例を示す、図２に対応する図である。
【図１０Ｂ】図１に示す保温・保冷具の他の変形例を示す、図２に対応する図である。
【図１１Ａ】図１に示す保温・保冷具のさらに他の変形例を示す、図２に対応する図ある。
【図１１Ｂ】図１１Ａに示す保温・保冷具の分解斜視図である。
【考案を実施するための形態】
【００３２】
以下、本考案の実施の形態について、図面を参照して説明する。
【００３３】
本考案に係る保温・保冷具１は、図１および図３〜７に示すように、手先或いは腕の任意の部位または足先或いは脚の任意の部位を温めたり冷やしたりするのに使用されるものである。
【００３４】
この保温・保冷具１は、図１及び図２に示すように、一端が例えばスライドファスナ２により開閉可能とされる一方他端が挿入口３とされた保温・保冷区画部４と、この保温・保冷区画部４の両面に設けられ、内部にカイロまたは保冷材５が挿入可能なカイロ・保冷材保持部６とを備えたものである。保温・保冷区画部４の一端側とカイロ・保冷材保持部６の先端側（保温・保冷区画部４の一端側に対応する側）とは、例えば面ファスナ７によって係脱可能とされたフラップ８により被覆されている。ここで、図示例のように、カイロ・保冷材保持部６の先端側が開口されている態様では、その開口部分はフラップ８により開閉されることとなる。そのため、フラップ８を開いた時に開口部分が下を向いたりしているとカイロ・保冷材保持部６からカイロまたは保冷材５が不測に脱落する懸念がある。特に、後述する図４、図６および図７に示すような使い方の場合に顕著となる。そこで、カイロまたは保冷材５が不測に脱落するのを防止する目的で、閉止具として例えば面ファスナ１３をカイロ・保冷材保持部６の開口部分に設けている。なお、保温・保冷区画部４の一端に設けられたスライドファスナ２は、図示例のような、スライダー２ａが１個のものは勿論のこと、２個のスライダーを備えたものであってもよい。２個のスライダーを備えたスライドファスナーを採用した場合は、スライダーが１個の場合とは異なり開閉方向が一方向に限定されなくなるのでより使い勝手がよくなる。
【００３５】
このようになる保温・保冷具１は、保温性の高い布から縫製されるが好ましい。保温性が確保できるのであればどのような種類の布であってもよい。また、保温性に加えて、伸縮性を備えていると好ましい。伸縮性を備えている場合は、図４、図６及び図７に示すように、保温・保冷具１を所定の位置までずらせる場合に伸縮するのでずらせ易く、また収縮力により所定の位置に留め易くなる。
【００３６】
上記保温・保冷具１を手の指先の保温や保冷に用いている場合に一時的に手先を使うときは、面ファスナ７の係止状態を解除してフラップ８を開き、次いで保温・保冷区画部４の一端のスライドファスナ２を開放してその一端を開いてから、保温・保冷具１を手首側にずらすだけで手先を保温・保冷具１の先から露出することができる（図４参照）。これにより、保温・保冷具１を手にはめたまま指先を使うことが可能となる。このとき、閉止具（面ファスナ）１３によりカイロ・保冷材保持部６の開口部分を閉じておくと、カイロ・保冷材保持部６からカイロまたは保冷材５が不測に脱落する虞がない。
【００３７】
また、例えば冬期に犬の散歩をする時、上記のようにして指先を保温・保冷具１から出し、犬の首輪に繋がれたリードを掴んだ後、保温・保冷具１を手先側に戻して指先を覆い、スライドファスナを部分的に閉じてリードだけが保温・保冷具１から出るようにすると、リードをしっかりと掴んだ状態で手先全体がカイロ・保冷材保持部６内のカイロにより温められるので、冬期の犬の散歩も苦にならない。
【００３８】
また、カイロ・保冷材保持部６内に保冷材を入れた場合は、手先、手の甲、手首或いは腕の任意の部位、または足先、足の甲、足首或いは脚の任意の部位をアイシングすることができる。従来、スポーツの後のクールダウンや、打撲、捻挫、突き指等の怪我の治療でアイシングを行う場合、氷片と水とを入れた袋を空いている方の手で持ち患部にあてがっているが、本考案の保温・保冷具１を用いれば、保冷材を手でわざわざ支えずとも所定の部位を冷やすことができる。
【００３９】
ここで、カイロ・保冷材保持部６内に収納されるカイロ５としては、一般に市販されている、いわゆる使い捨て式のカイロが好ましく、小型のものが使い易い。また、保冷材５としては、例えば含水ゲルを用いた周知の冷却剤からなるシート状またはブロック状のものが挙げられる。カイロ（または保冷材）５は、図２に示すように、保温・保冷区画部４の両側に設けられたカイロ・保冷材保持部６の両方ともに収納する必要はなく、いずれか一方のカイロ・保冷材保持部６に収納するだけでもよい。また、カイロ・保冷材保持部６は、保温・保冷区画部４の両方の外面に設ける必要はなく、保温・保冷区画部４のいずれか一方の外面に設けられていればよい。さらに、カイロ・保冷材保持部６の開閉位置は、保温・保冷具１の先端側に限るものではない。
【００４０】
上記した保温・保冷具１で足先を温める場合は、図５に示すように、手先にはめたのと同じ要領で足先にはめればよい。そして、このままスリッパを履いて台所に立てば、足元が冷え易い台所でも温かく家事をこなすことができる。また、保温・保冷具１をはめた上から室内履きを履けば、食卓やリビングでも足先をより一層温めることができる。
【００４１】
さらに、図６に示すように、カイロ・保冷材保持部６及び保温・保冷区画部４の一端を開いて、例えば肘まで保温・保冷具１をずらせば、肘を温めたり冷やしたりするのにも使用することができ、図７に示すように、保温・保冷具１を例えば膝までずらせば、膝を温めたり冷やしたりすることができる。このときも、閉止具（面ファスナ）１３によりカイロ・保冷材保持部６の開口部分を閉じておくと、カイロ・保冷材保持部６からカイロまたは保冷材５が不測に脱落する虞がない。
【００４２】
なお、本考案の保温・保冷具１の保温・保冷対象部位は、上記した肘や膝に限られるものではなく、例えば手の甲や手首であったり、足の甲、足首、ふくらはぎであったり、使用者の望む任意の部位とされる。
【００４３】
図８は、本考案の保温・保冷具の他の実施形態を示す中央縦断面図である。
【００４４】
この保温・保冷具１１は、３つの保温・保冷区画部４１，４２，４３を備えている。すなわち、一端が例えばスライドファスナ（係止具）２１により開閉可能とされる一方他端が挿入口３１とされた第１保温・保冷区画部４１と、この第１保温・保冷区画部４１と並設され、他端が挿入口３２とされた第２保温・保冷区画部４２と、第１保温・保冷区画部４１と並設され、他端が挿入口３３とされた第３保温・保冷区画部４３と、第１保温・保冷区画部４１と第２保温・保冷区画部４２との間及び第１保温・保冷区画部４１と第３保温・保冷区画部４３との間にそれぞれ設けられ、各内部にカイロまたは保冷材５が挿入可能な２つのカイロ・保冷材保持部６１，６２とを備え、これらカイロ・保冷材保持部６１，６２の先端側が面ファスナ７１によって係脱可能とされたフラップ８１により開閉可能とされたものである。この実施形態においても、各カイロ・保冷材保持部６１，６２の開口部分には、フラップ８１を開放した際にカイロまたは保冷材が脱落するのを防止するための閉止具（面ファスナ）１３が設けられている。
【００４５】
この実施形態の場合、第１〜第３保温・保冷区画部４１〜４３のいずれかに手や足の指先を入れることで、指先の両面側または指の爪側或いは腹側を選択的に温めたり冷やしたりすることができる。
【００４６】
また、このようになる保温・保冷具１１においても、手の指先の保温または保冷に用いている場合に一時的に手先を使うときは、面ファスナ７１の係止状態を解除してフラップ８１を開き、第１保温・保冷区画部４１の一端のスライドファスナ２１を開放してその一端を開いてから、保温・保冷具１１を手首側にずらすだけで手先を保温・保冷具１１の先から露出することができ、保温・保冷具１１を手にはめたまま指先を使うことが可能となる。このとき、閉止具（面ファスナ）１３によりカイロ・保冷材保持部６１，６２の開口部分を閉じておくと、カイロ・保冷材保持部６１，６２からカイロまたは保冷材５が不測に脱落する虞がない。
【００４７】
また、第１保温・保冷区画部４１の一端を開いて、例えば肘まで保温・保冷具１１をずらせば、肘を温めたり冷やしたりするのにも使用することができる。また、第１保温・保冷区画部４１の一端を開いて、保温・保冷具１１を例えば膝までずらせば、膝を温めたり冷やしたりすることができる。このときも、閉止具（面ファスナ）１３によりカイロ・保冷材保持部６１，６２の開口部分を閉じておくと、カイロ・保冷材保持部６１，６２からカイロまたは保冷材５が不測に脱落する虞がない。
【００４８】
なお、図８に示す例では、第１保温・保冷区画部４１にのみスライドファスナ２１を設けてその一端を開閉可能としているが、他の保温・保冷区画部４２，４３のいずれか一つまたは両方にも第１保温・保冷区画部４１と同様にスライドファスナを設けてそれぞれの一端を開閉可能としてもよい。
【００４９】
図９Ａは、図１に示す保温・保冷具１を保温・保冷具以外の目的で使用する場合の一例を示す斜視図である。
【００５０】
この図に示す例では、保温・保冷区画部４の挿入口３に面ファスナ（係止具）９を設け、この面ファスナ９により該挿入口３を開閉可能としており、これによって、カイロの保温持続時間が過ぎた場合や保温・保冷具として使用しない時などに、保温・保冷区画部４に例えば小銭や小物などを収納し、保温・保冷具１を小銭入れや小物入れとしても使用することができる。
【００５１】
また、これと同様に、図８に示した保温・保冷具１１においても、第１〜第３保温・保冷区画部４１，４２，４３の一つ、二つまたはすべての挿入口３１，３２，３３に面ファスナ（図示省略）を設け、この面ファスナにより挿入口３１，３２，３３を開閉可能とすれば、カイロの保温持続時間が過ぎた場合や保温・保冷具として使用しない時などに、保温・保冷区画部４１，４２，４３に例えば小銭や小物などを収納し、小銭入れや小物入れとしても使用することができる。ここで、保温・保冷区画部は第１〜第３の３つがあるので、各保温・保冷区画部４１，４２，４３を種類の異なる物の収納に使用することができ、より使用範囲が広がる。
【００５２】
図９Ｂは、図１に示す保温・保冷具１を保温・保冷具以外の目的で使用する場合の他の例を示す斜視図である。
【００５３】
この図に示す例では、カイロ・保冷材保持部６を保温・保冷具１を小銭入れや小物入れとして使用している。この場合、カイロ・保冷材保持部６は２つあるため、図示例のように、小銭入れとして使用するときに、硬貨を種別毎に分けて収納することもできる。
【００５４】
図１０Ａは、図１に示す保温・保冷具１の変形例を示す中央縦断面図である。
【００５５】
この図に示す例では、２つのフラップ８２を、お互いの先端同士が、保温・保冷区画部４のスライドファスナ２と対応する位置で衝合するように設け、さらにこの衝合部分にスライドファスナ１０を設けて開閉可能としている。
【００５６】
この場合、フラップ８２の長さが図１に示したフラップ８の長さより短くなるため、カイロ・保冷材保持部６を開放したときに、フラップ８２が図１に示したものよりも邪魔になりにくい。
【００５７】
図１０Ｂは、図１に示す保温・保冷具１の他の変形例を示す中央縦断面図である。
【００５８】
この図に示す例では、上記したようなフラップ８２を設けず、カイロ・保冷材保持部６の開口部分を個々に閉止具１３で開閉できるようにしている。
【００５９】
この場合も、閉止具１３によりカイロ・保冷材保持部６からカイロまたは保冷材５が不測に脱落する虞がない。
【００６０】
図１１Ａは、図１に示す保温・保冷具１のさらに他の変形例を示す中央縦断面図であり、図１１Ｂはその分解斜視図である。
【００６１】
この図に示す例では、保温・保冷区画部４とカイロ・保冷材保持部６とが分離可能としている。図中の符号１２は、両者４，６を係脱可能とするための例えば面ファスナを示す。
【００６２】
この場合、保温・保冷区画部４またはカイロ・保冷材保持部６のうち汚れ方が酷い方だけを洗ったり、新たな保温・保冷区画部４と交換することができる。また、手足の任意の部位を温める場合は、保温・保冷区画部４として温かさを実感できる例えば布製のものを使用し、冷やす場合は、保冷材の周囲に生じがちな結露が保温・保冷区画部４内に滲み込まないよう例えば非透水性の合成繊維製のものを使用する、といったように保温と保冷の目的別に材質の異なった保温・保冷区画部４を選択することができる。
【００６３】
なお、図８に示した例のものについても、図１１Ａ及び図１１Ｂに示すのと同様に変形することができる。すなわち、図示はしないが、第１〜第３保温・保冷区画部４１，４２，４３のうち少なくとも一つの保温・保冷区画部を取り外し可能としてもよい。
【００６４】
この場合、第１〜第３保温・保冷区画部４１，４２，４３及びフラップ８１のうち汚れ方が酷いものだけを洗ったり、新たな保温・保冷区画部と交換することができる。また、手足の任意の部位を温める場合は、保温・保冷区画部として温かさを実感できる例えば布製のものを使用し、冷やす場合は、保冷材の周囲に生じがちな結露が保温・保冷区画部内に滲み込まないよう例えば非透水性の合成繊維製のものを使用する、といったように保温と保冷の目的別に材質の異なった保温・保冷区画部を選択することができる。
【符号の説明】
【００６５】
１，１１              保温・保冷具
３，３１，３２，３３  挿入口
４                    保温・保冷区画部
４１                  第１保温・保冷区画部
４２                  第２保温・保冷区画部
４３                  第３保温・保冷区画部
５                    カイロまたは保冷材
６，６１，６２        カイロ・保冷材保持部
９                    係止具
【図１】
0003151845.tif 000003
【図２】
0003151845.tif 000004
【図３】
0003151845.tif 000005
【図４】
0003151845.tif 000006
【図５】
0003151845.tif 000007
【図６】
0003151845.tif 000008
【図７】
0003151845.tif 000009
【図８】
0003151845.tif 000010
【図９Ａ】
0003151845.tif 000011
【図９Ｂ】
0003151845.tif 000012
【図１０Ａ】
0003151845.tif 000013
【図１０Ｂ】
0003151845.tif 000014
【図１１Ａ】
0003151845.tif 000015
【図１１Ｂ】
0003151845.tif 000016